(57)【要約】【課題】  不特定多数の者が利用する画像処理装置を用いてサービス会社が提供する各種サービスを利用する際のセキュリティや利便性を高めるようにした画像処理システムおよび画像処理装置を提供する。【解決手段】  複合機１０は、携帯電話機３０からのＶＰＮリモードアクセス要求を受けると、公衆回線網４１を介して接続されたノード（サービス会社２０）とのセキュアな通信トンネルを確立する。この通信トンネルの確立には、携帯電話機３０で管理されるＶＰＮ接続情報（ＶＰＮ接続情報テーブル６２ａ）を用いる。この結果、例えば、ディレクトリ参照サービス（サービス会社（Ｃ社）２３）との間の通信トンネルが確立すると、複合機１０は、ディレクトリ参照サービス（サービス会社（Ｃ社）２３）から電子データを取得してそれを印刷することになる。【選択図】  図１
2008040963.tif 000002
【特許請求の範囲】
【請求項１】
携帯端末と、
画像処理装置と、
前記画像処理装置と公衆回線網を介して接続され、該画像処理装置からの要求に応じて各種サービスを提供する１または複数のサービス提供サーバと
を具備し、
前記携帯端末は、
前記画像処理装置による前記サービス提供サーバへの接続に際して必要な接続情報を管理する接続情報管理手段と、
前記画像処理装置と通信を行うための携帯端末通信手段と
を具備し、
前記画像処理装置は、
前記携帯端末通信手段と通信を行うための画像処理装置通信手段と、
前記画像処理装置通信手段を介して前記接続情報管理手段で管理された接続情報を受信する受信処理手段と、
前記受信処理手段で受信した接続情報を用いて前記サービス提供サーバとの間の通信を確立する接続確立手段と、
前記接続確立手段により前記サービス提供サーバとの間の通信が確立された後、該通信を介して前記サービス提供サーバが提供する各種サービスを利用するための制御を行う制御手段と
を具備する画像処理システム。
【請求項２】
前記接続確立手段は、
前記サービス提供サーバとの間の通信を仮想私設通信網によって確立する
請求項１記載の画像処理システム。
【請求項３】
前記接続情報管理手段は、
前記仮想私設通信網への通信を確立するための接続に関する設定情報、ユーザ認証のための認証情報を含む接続情報を管理する
請求項２記載の画像処理システム。
【請求項４】
前記１または複数のサービス提供サーバは、
ディレクトリ格納サービス、ディレクトリ参照サービス、プリントサービス等のいずれかのサービスを前記画像処理装置からの要求に応じて提供する
請求項１から３いずれかに記載の画像処理システム。
【請求項５】
前記携帯端末と通信を行う通信手段と、
前記通信手段を介して該携帯端末で管理された接続情報を受信する受信処理手段と、
前記受信処理手段で受信した前記接続情報を用いて公衆回線網を介して接続されたサービス提供サーバとの間の通信を確立する接続確立手段と、
前記接続確立手段により前記サービス提供サーバとの間の通信が確立された後、該通信を介して前記サービス提供サーバが提供する各種サービスを利用するための制御を行う制御手段と
を具備する画像処理装置。
【発明の詳細な説明】
【技術分野】
【０００１】
本発明は、画像処理システムおよび画像処理装置に関する。
【背景技術】
【０００２】
社外で紙媒体の文書を電子化してプライベートネットワーク（企業サイト等）内のディレクトリサービス等へセキュアに送信し保存する際には、画像処理装置で電子化し、そのデータを一旦、情報処理装置等に移した後、ＶＰＮ（公衆回線網を専用回線であるかのように利用できるサービス：Virtual Private Network）等を利用して送信していた。また、社内の電子データを社外で印刷する際にも、電子データを一旦、情報処理装置等に移した後、そのデータを画像処理装置から印刷するという手順が採られていた。
【０００３】
このように社外から社内に電子データを送る場合や、社内の電子データを社外で印刷する場合には、一旦、情報処理装置に電子データを移す必要があったので手間がかかるのに加えて、電子データを一時的に保存できるハードウェアリソースを持つ情報処理装置が必要となっていた。そのため、サイズが大きい電子データを扱う場合には、携帯電話機やＰＤＡ（Personal Digital Assistants）等の携帯性に優れた情報処理装置では対応できない場合が多々あった。
【０００４】
このような技術に関連して、例えば、特許文献１には、公共性のない装置群（複写機、スキャナ、プリンタ、パーソナルコンピュータ等）から保管サイトへの電子データの送受信や、データの保管参照を実現する技術が開示される。
【特許文献１】特開２００１−３５７０３９号
【発明の開示】
【発明が解決しようとする課題】
【０００５】
社外から社内に電子データを送る場合や、社内の電子データを社外で印刷する場合には、サービス会社が提供するディレクトリサービスや、プリントサービス等を利用する方法がある。例えば、社外から紙媒体を電子化して送る必要がある場合、出先の会社やスポットオフィス、ＳＯＨＯ（Small Office Home Office）、あるいはコンビニエンスストア等にある不特定多数の者が利用する画像処理装置を用いて電子化してこれらサービスを利用することになる。
【０００６】
このとき、画像処理装置とディレクリサービス等を提供するサービス会社との間は、専用回線で繋がれているわけでなく一般の公衆回線網を利用することになるので、通信経路上で電子データが改竄、盗聴、なりすまし等の被害に合う可能性がある。
【０００７】
本発明は、不特定多数の者が利用する画像処理装置を用いてサービス会社が提供する各種サービスを利用する際のセキュリティや利便性を高めるようにした画像処理システムおよび画像処理装置を提供することを目的とする。
【課題を解決するための手段】
【０００８】
上記目的を達成するため、請求項１の画像処理システムの発明は、携帯端末と、画像処理装置と、前記画像処理装置と公衆回線網を介して接続され、該画像処理装置からの要求に応じて各種サービスを提供する１または複数のサービス提供サーバとを具備し、前記携帯端末は、前記画像処理装置による前記サービス提供サーバへの接続に際して必要な接続情報を管理する接続情報管理手段と、前記画像処理装置と通信を行うための携帯端末通信手段とを具備し、前記画像処理装置は、前記携帯端末通信手段と通信を行うための画像処理装置通信手段と、前記画像処理装置通信手段を介して前記接続情報管理手段で管理された接続情報を受信する受信処理手段と、前記受信処理手段で受信した接続情報を用いて前記サービス提供サーバとの間の通信を確立する接続確立手段と、前記接続確立手段により前記サービス提供サーバとの間の通信が確立された後、該通信を介して前記サービス提供サーバが提供する各種サービスを利用するための制御を行う制御手段とを具備する。
【０００９】
また、請求項２の発明は、請求項１の発明において、前記接続確立手段は、前記サービス提供サーバとの間の通信を仮想私設通信網によって確立する。
【００１０】
また、請求項３の発明は、請求項２の発明において、前記接続情報管理手段は、前記仮想私設通信網への通信を確立するための接続に関する設定情報、ユーザ認証のための認証情報を含む接続情報を管理する。
【００１１】
また、請求項４の発明は、請求項１から３の発明において、前記１または複数のサービス提供サーバは、ディレクトリ格納サービス、ディレクトリ参照サービス、プリントサービス等のいずれかのサービスを前記画像処理装置からの要求に応じて提供する。
【００１２】
また、請求項５の画像処理装置の発明は、前記携帯端末と通信を行う通信手段と、前記通信手段を介して該携帯端末で管理された接続情報を受信する受信処理手段と、前記受信処理手段で受信した前記接続情報を用いて公衆回線網を介して接続されたサービス提供サーバとの間の通信を確立する接続確立手段と、前記接続確立手段により前記サービス提供サーバとの間の通信が確立された後、該通信を介して前記サービス提供サーバが提供する各種サービスを利用するための制御を行う制御手段とを具備する。
【発明の効果】
【００１３】
本発明によれば、不特定多数の者が利用する画像処理装置を用いて、公衆回線網を介して接続されたサービス提供サーバにより提供されるディレクトリサービス等を利用する際に、画像処理装置とサービス提供サーバとの間の通信を、携帯端末で管理された接続情報により確立する。
【００１４】
これにより、画像処理装置とサービス提供サーバとの間の通信がセキュアに行えることになり、また、画像処理装置内に接続情報等の機密性の高い情報が漏洩することもなく、セキュリティを向上させることができる。
【００１５】
また、本発明によれば、ハードウェアリソースの少ない携帯端末を用いて、このハードウェアリソースを超える大きさの電子データを扱ったディレクトリサービス等の利用が可能となるため利便性が高まる。
【発明を実施するための最良の形態】
【００１６】
以下、本発明に係わる画像処理システムおよび画像処理装置の実施例について添付図面を参照して詳細に説明する。
【実施例】
【００１７】
図１は、本発明に係わる画像処理装置を配して構成した画像処理システムの全体構成の一例を示す図である。なお、本実施例においては、本発明に係わる画像処理装置を複合機１０に適用した場合を例に挙げて説明する。
【００１８】
この画像処理システムは、複合機１０と、サービス会社２０と、携帯電話機３０とを具備して構成され、サービス会社２０と複合機１０との間は、公衆回線網４１を介して接続され、携帯電話機３０と複合機１０との間は、有線等によりローカルに接続される。なお、複合機１０と公衆回線網４１との間には、ファイアウォール４２が設けられる。
【００１９】
複合機１０は、コンビニエンスストア等に配設され、不特定多数の者に利用される。複合機１０では、公衆回線網４１を介して接続されたサービス会社２０との間でデータの授受を行うことで、サービス会社２０により提供される各種サービスを利用することができる。ここで、この複合機１０とサービス会社２０との間の通信は、公衆回線網４１を利用して行われることになるのでセキュリティの面で問題がある。そのため、本実施例においては、この両者の間の通信にＶＰＮ（仮想私設通信網）を用いる。
【００２０】
サービス会社２０は、複合機１０からの要求に応じて各種サービスを提供する事業者である。サービス会社２０には、各種サービスを提供するためのサービス提供サーバが各々設けられており、このサーバが動作することによりサービス会社２０による各種サービスが提供されることになる。ここで、サービス会社２０により提供される各種サービスについて説明する。まず、サービス会社（Ａ社）２１によるプリントサービスによれば、電子データを印刷して配送するサービスが提供されるため、例えば、社外で入手した紙媒体の文書を関連会社のある部門のプリンタで印刷する必要がある場合などに、このサービスが利用されることになる。また、サービス会社（Ｂ社）２２によるディレクトリ格納サービスによれば、電子データを蓄積して管理するサービスが提供されるため、例えば、社外で入手した紙媒体の文書を電子化して本社のファイルサーバに保存しておきたい場合などに、このサービスが利用されることになる。また、サービス会社（Ｃ社）２３によるディレクトリ参照サービスによれば、利用者からの要求に応じてディレクトリに格納されたファイル（電子データ）を参照させるサービスが提供されるため、例えば、社外で本社のファイルサーバにある電子データを印刷したい場合などに、このサービスが利用されることになる。
【００２１】
携帯電話機３０は、携帯電話網を利用した通話機能の他、アプリケーションソフトの実行等の様々な機能を備えた携帯端末である。携帯電話機３０は、有線により複合機１０とローカル接続されることにより、複合機２０との間で各種データの授受を行う。なお、本実施例においては、携帯電話機３０と複合機１０との間を有線により接続する場合を説明するが、セキュリティを確保できるのであれば、この間の通信を、赤外線やＢｌｕｅｔｏｏｔｈ、無線ＬＡＮ（Local Area Network）等を利用して無線で行うようにしてもよい。
【００２２】
ここで、サービス会社（Ａ社）２１が提供するプリントサービスを利用する際の画像処理システムにおける処理の流れについて簡単に説明する。
【００２３】
このプリントサービスの利用に際しユーザはまず、携帯電話機３０と複合機１０とをローカルに接続する。接続が済むとユーザは、プリントサービスを利用するために携帯電話機３０から所定の操作を行う。すると、携帯電話機３０から複合機１０にＶＰＮリモートアクセス要求が送られる。
【００２４】
この要求を受けた複合機１０では、公衆回線網４１を介して接続されたノード（サービス会社（Ａ社）２１）との間でセキュアな通信トンネルを確立する。この通信トンネルの確立には、携帯電話機３０で管理されるＶＰＮ接続情報テーブル６２ａに設定されたＶＰＮ接続情報が用いられる。複合機１０では、このＶＰＮ接続情報を用いてＶＰＮへの接続・認証を行う。
【００２５】
この結果、サービス会社（Ａ社）２１との間の通信トンネルが確立すると、複合機１０は、スキャン処理の開始をユーザに促すことになる。ユーザがプラテンガラス上に原稿をセットすると、複合機１０はその原稿に対するスキャン処理を開始し、そのスキャンした電子データをＶＰＮを利用してプリントサービス（サービス会社（Ａ社）２１）に送信する。これにより、サービス会社（Ａ社）２１により提供されるプリントサービスが利用されることになる。
【００２６】
ここで、図２を用いて、図１に示す複合機１０の概略構成の一部について説明する。
【００２７】
複合機１０は、その機能構成として、液晶ディスプレイ等から構成され、各種情報の表示を行う表示部１１と、タッチパネルやボタン等から構成され、ユーザからの入力操作を受け付ける操作部１２と、ＣＰＵ（Central Processing Unit）やメモリ等から構成され、複合機１０を統括制御する複合機主制御部１３と、ＬＡＮボードや電話線モジュラージャック等で構成され、公衆回線網４１との通信を実現する公衆回線通信部１４と、ＵＳＢ（Universal Serial Bus）等で構成され、携帯電話機３０とのローカル通信を実現するローカル通信部（複合機）１５と、照明ランプ、レンズ、ＣＣＤ（Charge Coupled Device）等から構成され、原稿から電子データを読み取る画像読取部１６と、感光ドラム、転写ベルト、定着器等から構成され、用紙等の記録媒体上に画像を形成する画像形成部１７とを具備して構成される。
【００２８】
以上が、複合機１０を構成する各種処理機能の説明である。なお、図２においては、説明を分かり易くするために、各処理機能を具体的に実現する構成を例示しているが、これはあくまで一例であり、これ以外の構成により各処理機能が実現されてもよい。
【００２９】
次に、上述した複合機主制御部１３の機能的な構成の一部について説明する。
【００３０】
複合機主制御部１３は、各種処理機能部として、ＵＩ（User Interface）制御部（複合機）５１と、処理動作管理部５２と、リモートアクセス制御部（複合機）５３とを具備して構成される。
【００３１】
ＵＩ制御部５１は、表示部１１や操作部１２などのユーザインターフェースを制御する機能を果たす。具体的には、各種画面を表示部１１に表示したり、操作部１２で受け付けたユーザからの入力操作に対応する制御信号を生成したりする制御を行う。
【００３２】
処理動作管理部５２は、複合機１０に備わる各種デバイスを管理する機能を果たす。具体的には、画像読取部１６や画像形成部１７の動作を制御するなどしてデバイスの管理を行う。
【００３３】
リモートアクセス制御部（複合機）５３は、サービス会社２０が提供する各種サービスを利用する際の、複合機１０における処理を統括制御する機能を果たす。複合機主制御部１３上に構成される各種処理機能は、このリモートアクセス制御部（複合機）５３からの指示に従って動作する。なお、このリモートアクセス制御部（複合機）５３では、各処理機能間で発生するデータの入出力も制御する。
【００３４】
また、リモートアクセス制御部（複合機）５３はその内部に、携帯電話機３０からローカル通信部（複合機）１５を介してＶＰＮ接続情報を受信する機能を果たす接続情報受信処理部５３ａと、受信したＶＰＮ接続情報を用いてサービス会社２０との通信トンネルを確立する機能を果たすＶＰＮ接続確立部５３ｂと、確立された通信トンネルを利用してサービス会社２０へ各種要求を送信するなどしてサービス会社２０により提供される各種サービスを利用するための制御を行う機能を果たすサービス利用処理制御部５３ｃとを具備して構成される。
【００３５】
以上が、複合機主制御部１３を構成する各種処理機能についての説明である。続いて、図３を用いて、図１に示す携帯電話機３０の概略構成の一部について説明する。
【００３６】
携帯電話機３０は、その機能構成として、アンテナ等から構成され、携帯電話網との間で電波の送受信を行う携帯電話網通信部３１と、液晶ディスプレイ等から構成され、各種情報の表示を行う表示部３２と、十字キーやテンキー等から構成され、ユーザからの入力操作を受け付ける操作部３３と、ＣＰＵ（Central Processing Unit）やメモリ等から構成され、携帯電話機３０を統括制御する携帯電話機主制御部３４と、マイクやスピーカー等から構成され、音声の入出力を行う音声入出力部３５と、携帯電話機特有の通信インターフェース等で構成され、複合機１０とのローカル通信を実現するローカル通信部（携帯電話機）３６とを具備して構成される。
【００３７】
以上が、携帯電話機３０を構成する各種処理機能の説明である。なお、図３においては、説明を分かり易くするために、各処理機能を具体的に実現する構成を例示しているが、これはあくまで一例であり、これ以外の構成により各処理機能が実現されてもよい。
【００３８】
次に、上述した携帯電話機主制御部３４の機能的な構成の一部について説明する。
【００３９】
携帯電話機主制御部３４は、各種処理機能部として、ＵＩ（User Interface）制御部（携帯電話機）６１と、接続情報管理部６２と、リモートアクセス制御部（携帯電話機）６３とを具備して構成される。
【００４０】
ＵＩ制御部６１は、表示部３２や操作部３３などのユーザインターフェースを制御する機能を果たす。具体的には、各種画面を表示部３２に表示したり、操作部３３で受け付けたユーザからの入力操作に対応する制御信号を生成したりする制御を行う。
【００４１】
接続情報管理部６２は、複合機１０によるサービス会社２０への接続に際して用いられるＶＰＮ接続情報テーブル６２ａを管理する機能を果たす。図４に示すように、ＶＰＮ接続情報テーブル６２ａには、ＶＰＮ接続サービス名と、ＶＰＮ接続サービスそれぞれのサービスに関するセキュリティポリシー等の端末設定情報と、接続時の認証等に利用されるセキュリティ情報とが各々関連付けられて設定されており、接続情報管理部６２では、このＶＰＮ接続情報テーブル６２ａへのＶＰＮ接続情報の登録や参照等の処理を司り、ＶＰＮ接続情報テーブル６２ａの管理を行うことになる。なお、このＶＰＮ接続情報テーブル６２ａへの各種情報の登録は、携帯電話機３０の表示部３２や操作部３３から行ってもよいし、また、携帯電話機３０にパーソナルコンピュータ等を接続してパーソナルコンピュータから行ってもよく、特に、その方法は問わない。
【００４２】
リモートアクセス制御部（携帯電話機）６３は、サービス会社２０が提供する各種サービスを利用する際の、携帯電話機３０における処理を統括制御する機能を果たす。携帯電話機主制御部３４上に構成される各種処理機能は、このリモートアクセス制御部（携帯電話機）６３からの指示に従って動作する。なお、このリモートアクセス制御部（携帯電話機）６３では、各処理機能間で発生するデータの入出力も制御する。
【００４３】
また、リモートアクセス制御部（携帯電話機）６３はその内部に、ローカル通信部（携帯電話機）３６を介して複合機１０へＶＰＮ接続情報を送信する接続情報送信処理部６３ａを具備して構成される。以上が、携帯電話機主制御部３４を構成する各種処理機能についての説明である。
【００４４】
ここで、図５から図７を用いて、携帯電話機３０を用いてサービス会社２０が提供する各種サービスを利用する場合の処理の流れについて説明する。なお、図５には、接続フェーズにおける処理の流れが示され、図６および図７には、メイン処理フェーズにおける処理の流れが示される。
【００４５】
まず、図５を用いて、接続フェーズにおける処理の流れについて説明する。なお、ここでは、サービス会社（Ｃ社）２３が提供するディレクトリ参照サービスを利用する場合の処理の流れについて説明する。
【００４６】
サービス会社（Ｃ社）２３が提供するディレクトリ参照サービスの利用に際して、ユーザはまず、複合機１０とサービス会社（Ｃ社）２３との間でＶＰＮ接続を行うために必要なＶＰＮ接続情報（ＶＰＮ接続情報テーブル６２ａ）を携帯電話機３０へ登録しておく（ステップＳ１０１）。また、サービス会社（Ｃ社）２３へも携帯電話機３０のサービスへの追加を依頼しておく（ステップＳ１０２）。
【００４７】
この準備処理が終了するとユーザは続いて、携帯電話機３０と複合機１０とがローカル接続された状態で、携帯電話機３０のＵＩ上（表示部３２、操作部３３）からＶＰＮ接続先の選択を行う。すなわち、ステップＳ１０１で登録したＶＰＮ接続情報テーブル６２ａから接続先を選択することになる。なお、ここでは、ディレクトリ参照サービスを利用するため、サービス会社（Ｃ社）２３が選択されることになる。
【００４８】
ユーザが操作部３３から選択操作を行うと、この選択操作を受けたＵＩ制御部６１は、リモートアクセス制御部（携帯電話機）６３に対してＶＰＮリモートアクセスを依頼する。すると、この依頼を受けたリモートアクセス制御部（携帯電話機）６３は、ローカル通信部（携帯電話機）３６およびローカル通信部（複合機）１５を介してリモートアクセス制御部（複合機）５３との通信を開始する。すなわち、携帯電話機３０と複合機１０との間のローカル通信が確立されることになる（ステップＳ１０４）。
【００４９】
このローカル通信の確立とともに、リモートサクセス制御部（携帯電話機）６３は、リモートアクセス制御部（複合機）５３へリモートアクセス要求を発行するとともに、ステップＳ１０３でユーザに選択された接続先のＶＰＮ接続情報をＶＰＮ接続情報テーブル６２ａから取得し、これを接続情報送信処理部６３ａによりローカル通信部（携帯電話機）３６を介して複合機１０へと送信する（ステップＳ１０５）。
【００５０】
複合機１０では、このＶＰＮ接続情報をローカル通信部（複合機）１５を介して接続情報受信処理部５３ａで受信する。すると、ＶＰＮ接続確立部５３ｂが、公衆回線通信部１４を介してサービス会社（Ｃ社）２３への接続を行う。このサービス会社（Ｃ社）２３への接続は、携帯電話機３０から送られてきたＶＰＮ接続情報に基づき行われる（ステップＳ１０６）。
【００５１】
複合機１０からサービス会社（Ｃ社）２３への接続が行われると、サービス会社（Ｃ社）２３では、複合機１０からのサービス要求に対してユーザ認証を要求する（ステップＳ１０７）。この要求を受けたＶＰＮ接続確立部５３ｂでは、携帯電話機３０からのＶＰＮ接続情報に含まれる認証情報をサービス会社（Ｃ社）２３へ送ることでユーザ認証を済ます（ステップＳ１０７）。なお、このＶＰＮ接続の確立に際しては、ＶＰＮ接続確立部５３ｂの制御により、複合機１０とサービス会社（Ｃ社）２３との間で一般的なＶＰＮ接続ネゴシエーションシーケンスが実行され、通信トンネルが確立されることになる（ステップＳ１０８）。
【００５２】
次に、図６を用いて、メイン処理フェーズの動作の流れについて説明する。この図６に示すメイン処理フェーズは、図５で説明した接続フェーズが行われた後に実行される処理である。なお、ここでは、サービス会社（Ｃ社）２３が提供するディレクトリ参照サービスに蓄積されたファイルを印刷する場合の処理の流れについて説明する。
【００５３】
複合機１０とサービス会社（Ｃ社）２３との間で通信トンネルが確立されると、サービス利用制御部５３ｃは、ディレクトリ参照サービスに蓄積されたファイルリストの取得を要求する（ステップＳ２０１）。すると、この要求に伴ってディレクトリ参照サービスから蓄積ファイルリスト情報が複合機１０へと送られ（ステップＳ２０２）、複合機１０ではこれを受信する。
【００５４】
複合機１０において、蓄積ファイルリスト情報の受信が済むと、サービス利用制御部５３ｃは、これをローカル通信部（複合機）１５およびローカル通信部（携帯電話機）３６を介して携帯電話機３０のリモートアクセス制御部（携帯電話機）６３へ転送する（ステップＳ２０３）。この転送を受けたリモートアクセス制御部（携帯電話機）６３は、蓄積ファイルリスト情報をＵＩ制御部６１へと渡し、ＵＩ制御部６１が、この情報を表示部３２へ表示制御する（ステップＳ２０４）。
【００５５】
ユーザは、この表示を参照して操作部３３から印刷を所望するファイルを選択する。すると、ユーザにより選択されたファイルを指し示す情報が、ＵＩ制御部６１からリモートアクセス制御部（携帯電話機）６３に伝えられ、さらにローカル通信部（携帯電話機）３６およびローカル通信部（複合機）１５を介して複合機１０のリモートアクセス制御部（複合機）５３へと送られる。これを受けたリモートアクセス制御部（複合機）５３のサービス利用制御部５３ｃは、ディレクトリ参照サービスに対し当該ファイルの取得要求を送信する（ステップＳ２０６）。すると、この要求に伴ってディレクトリ参照サービスから該当のファイルが複合機１０へと送られ（ステップＳ２０７）、複合機１０ではこれを受信する。
【００５６】
この取得したファイルは、サービス利用制御部５３ｃから処理動作管理部６２へと送られ、その結果、画像形成部１７により当該ファイルに基づいた画像が用紙に形成され、ユーザに選択されたファイルの印刷が行われる（ステップＳ２０８）。この印刷が完了すると、処理動作管理部６２からリモートアクセス制御部（複合機）５３に処理完了通知が行われる。この処理が完了した旨の情報は、リモートアクセス制御部（複合機）５３からローカル通信部（複合機）１５およびローカル通信部（携帯電話機）３６を介して携帯電話機３０のリモートアクセス制御部（携帯電話機）６３に対して送信され、携帯電話機３０においても、印刷の終了を認識することになる。
【００５７】
次に、図７を用いて、サービス会社（Ａ社）２１が提供するプリントサービスを利用する場合の処理の流れについて説明する。この図７に示すメイン処理フェーズは、図５で説明した接続フェーズと略同様の処理をサービス会社（Ａ社）２１に対して行った後に実行される処理である。
【００５８】
上記図５で説明した接続フェーズ処理と略同様の処理がサービス会社（Ａ社）２１に対して行われ、複合機１０とサービス会社（Ａ社）２１との間で通信トンネルが確立されると、サービス利用制御部５３ｃは、スキャン処理の準備を処理動作管理部６２に指示する。すると、処理動作管理部６２では、スキャン処理に関する諸設定を行うなどしてスキャン処理の準備を行う（ステップＳ３０１）。
【００５９】
準備が完了すると、処理動作管理部６２からリモートアクセス制御部（複合機）５３へ準備の完了を示す通知が行われる。これを受けたリモートアクセス制御部（複合機）５３のサービス利用制御部５３ｃは、ユーザに原稿のセットを促すなどしてスキャン処理の開始を通知する（ステップＳ３０２）。このユーザへの通知は、ＵＩ制御部（複合機）５１の制御による複合機１０の表示部１１への表示により行ってもよいし、また、ＵＩ制御部（携帯電話機）６１の制御による携帯電話機３０の表示部３２への表示により行ってもよい。
【００６０】
この表示を参照したユーザが、プラテンガラス上に原稿をセットして、その読み取りを指示すると、スキャン処理が開始され、画像読取部１６における原稿の読み取りが開始される（ステップＳ３０３）。
【００６１】
ここで、処理動作管理部６２が、画像読取部１６による原稿の読み取りを検知すると、その旨がリモートアクセス制御部（複合機）５３に伝えられる。すると、リモートアクセス制御部（複合機）５３のサービス利用制御部５３ｃでは、原稿から読み取られた電子データを、公衆回線通信部１４を介して接続されたサービス会社（Ａ社）２１の提供するプリントサービスへと送信する（ステップＳ３０２）。これにより、プリントサービスによってこの電子データに基づいた印刷処理が行われる（ステップＳ３０３）。
【００６２】
なお、上記図６および図７を用いて、サービス会社（Ｃ社）２３が提供するディレクトリ参照サービス２１と、サービス会社（Ａ社）２１が提供するプリントサービスを利用する場合の処理の流れについて説明したが、サービス会社（Ｂ社）２２が提供するディレクトリ格納サービスを利用する場合には、図７で説明したステップＳ３０３の印刷処理の代わりに、複合機１０から送られてきた電子データの格納処理を行うようにすれば、その他の処理は上記同様の処理の流れとなる。
【００６３】
以上が本発明の代表的な実施形態の一例であるが、本発明は、上記および図面に示す実施例に限定することなく、その要旨を変更しない範囲内で適宜変形して実施できるものである。
【００６４】
例えば、上記実施例においては、携帯電話機３０を用いる場合を例に挙げて説明したが、携帯電話機３０に限られず、携帯性に優れた携帯端末であれば代用できる。例えば、携帯電話機３０の代わりにＰＤＡ等を用いてもよい。
【００６５】
また、上記実施例において説明した処理を、コンピュータにインストールされた制御プログラムにより実施するように構成してもよい。なお、この制御プログラムは、ネットワーク等の通信手段により提供することはもちろん、ＣＤ−ＲＯＭ等の記録媒体に格納して提供することも可能である。
【産業上の利用可能性】
【００６６】
本発明の画像処理システムおよび画像処理装置は、ファックス、スキャナ、プリンタ、複写機、複合機等の画像処理装置や、この画像処理装置を配する画像処理システム全般に適用可能である。
【図面の簡単な説明】
【００６７】
【図１】本発明に係わる画像処理装置を配して構成した画像処理システムの全体構成の一例を示す図である。
【図２】図１に示す複合機１０の概略構成の一部を示す図である。
【図３】図１に示す携帯電話機３０の概略構成の一部を示す図である。
【図４】ＶＰＮ接続情報テーブル６２ａのテーブルレイアウトの一例を示す図である。
【図５】図１に示す画像処理システムの接続フェーズにおける処理の流れを示す図である。
【図６】図１に示す画像処理システムのメイン処理フェーズにおける第１の処理の流れを示す図である。
【図７】図１に示す画像処理システムのメイン処理フェーズにおける第２の処理の流れを示す図である。
【符号の説明】
【００６８】
１０    複合機
１１    表示部
１２    操作部
１３    複合機主制御部
１４    公衆回線通信部
１５    ローカル通信部（複合機）
１６    画像読取部
１７    画像形成部
２１    サービス会社（Ａ社）
２２    サービス会社（Ｂ社）
２３    サービス会社（Ｃ社）
３０    携帯電話機
３１    携帯電話網通信部
３２    表示部
３３    操作部
３４    携帯電話機主制御部
３５    音声入出力部
３６    ローカル通信部（携帯電話機）
４１    公衆回線網
４２    ファイアウォール
５１    ＵＩ制御部（複合機）
５２    処理動作管理部
５３    リモートアクセス制御部（複合機）
５３ａ    接続情報受信処理部
５３ｂ    ＶＰＮ接続確立部
５３ｃ    サービス利用処理制御部
６１    ＵＩ制御部（携帯電話機）
６２    接続情報管理部
６２ａ    設定・認証情報テーブル
６３    リモートアクセス制御部（携帯電話機）
６３ａ    接続情報送信処理部
【図１】
2008040963.tif 000003
【図２】
2008040963.tif 000004
【図３】
2008040963.tif 000005
【図４】
2008040963.tif 000006
【図５】
2008040963.tif 000007
【図６】
2008040963.tif 000008
【図７】
2008040963.tif 000009